(57)【要約】足の甲を包むアッパー３を甲にフィットさせるための紐締めフィッティング構造であって、甲および母趾の内側面を覆う内側部３１と、甲および小趾の外側面を覆う外側部３２と、内側部３１および外側部３２の中央寄りの縁部３３において、内側部３１および外側部３２に係合し、かつ、足の前後方向Ｙに沿って配置された第１シューレース手段１と、第１シューレース手段１の一部を前後方向Ｙに互いに離間した複数の露出エリア１ｉにおいて露出させた状態で配置する配置手段と、複数の露出エリア１ｉにおいて第１シューレース手段１に足の横断方向Ｘに係合し内側部３１と外側部３２とを互いに近づける第２シューレース手段２とを備え、ここにおいて、各露出エリア１ｉの前後方向Ｙの長さＬが第２シューレース手段２の太さ及び幅よりも大きい。
2013136514.tif 000002
【特許請求の範囲】
【請求項１】
足の甲を包むアッパー３を前記甲にフィットさせるための紐締めフィッティング構造であって、
前記甲および母趾の内側面を覆う内側部３１と、
前記甲および小趾の外側面を覆う外側部３２と、
前記内側部３１および外側部３２の中央寄りの縁部３３において、前記内側部３１および外側部３２に係合し、かつ、足の前後方向Ｙに沿って配置された第１シューレース手段１と、
前記第１シューレース手段１の一部を前記前後方向Ｙに互いに離間した複数の露出エリア１ｉにおいて露出させた状態で配置する配置手段と、
前記複数の露出エリア１ｉにおいて前記第１シューレース手段１に足の横断方向Ｘに係合し前記内側部３１と前記外側部３２とを互いに近づける第２シューレース手段２とを備え、
ここにおいて、前記各露出エリア１ｉの前記前後方向Ｙの長さＬが前記第２シューレース手段２の太さ及び幅よりも大きい。
【請求項２】
足の甲を包むアッパー３を前記甲にフィットさせるための紐締めフィッティング構造であって、
前記甲および母趾の内側面を覆う内側部３１と、
前記甲および小趾の外側面を覆う外側部３２と、
前記内側部３１および外側部３２の中央寄りの縁部３３において、かつ、足を前記アッパー内に挿入する履き口７よりも前方において、足の前後方向Ｙに沿って配置され前記内側部３１に複数の部位で係合すると共に前記外側部３２に複数の部位で係合する第１シューレース手段１と、
前記履き口７よりも前方における足の内側において前記第１シューレース手段１の第１部１Ｍを前記前後方向Ｙに互いに離間した複数の内側の露出エリア１ｉにおいて露出させた状態で配置すると共に、前記履き口７よりも前方における足の外側において前記第１シューレース手段１の第２部１Ｌを前記前後方向Ｙに互いに離間した複数の外側の露出エリア１ｉにおいて露出させた状態で配置する配置手段と、
前記複数の内側および外側の露出エリア１ｉにおいて前記第１シューレース手段１に足の横断方向Ｘに係合し前記内側部３１と前記外側部３２とを互いに近づける第２シューレース手段２とを備え、
ここにおいて、前記内側および外側の各露出エリア１ｉの前記前後方向Ｙの長さＬが前記第２シューレース手段２の太さ及び幅よりも大きい。
【請求項３】
請求項２の構造において、前記配置手段は、
前記内側部３１および外側部３２の中央寄りの前記縁部３３に、各々、２個以上配置され前記前後方向Ｙに貫通し、前記第１シューレース手段１が前後方向Ｙに移動可能に挿通されたループ部材４と、
少なくとも、前記内側部３１および外側部３２の前部、あるいは、前記内側部３１および外側部３２の後部において前記第１シューレース手段１の端部１Ｅを固定する固定部５とを備える。
【請求項４】
請求項３において、前記複数の内側および外側の露出エリア１ｉは前方露出エリアと前記前方露出エリアよりも後方の後方露出エリアとを包含し、前記前方露出エリアの前記前後方向Ｙの長さに比べ前記後方露出エリアの前記前後方向Ｙの長さが長い。
【請求項５】
請求項４において、前記後方露出エリアの前記長さが前記前方露出エリアの前記長さに比べ２ｍｍ以上長い。
【請求項６】
請求項５において、前記複数の内側および外側の露出エリア１ｉは前記前部から前記後部にわたって互いに前記前後方向Ｙに離間した１番目からｎ番目のエリア１１〜１ｎを包含し、前方から任意のｉ番目のエリア１ｉの前記前後方向Ｙの長さＬｉに比べ任意の（ｉ＋１）番目のエリア１ｉ＋１の前記前後方向Ｙの長さＬｉ＋１が長い。
【請求項７】
請求項３の構造において、前記内側部３１又は外側部３２をその厚さの方向に貫通し、前記第２シューレース手段２が挿通される貫通孔Ｈを前記内側部３１および外側部３２に各々備え、
前記貫通孔Ｈが前記ループ部材４のうちの最も後方に設けられたループ部材４よりも後方に配置されている。
【請求項８】
請求項２において、前記第１シューレース手段１は１本又は２本の丸紐で形成され、前記第２シューレース手段２は１本又は２本の帯状の紐で形成されている。
【請求項９】
請求項２において、前記第１シューレース手段１は、前記横断方向Ｘに延び前記第１部１Ｍと前記第２部１Ｌとを連結する第３部１Ｘを有し、Ｕ字状に形成された少なくとも１本の紐で形成されている。
【請求項１０】
請求項２において、前記第１シューレース手段１は、前記横断方向Ｘに延び前記第１部１Ｍと前記第２部１Ｌとを連結する第３部１Ｘを有し、Ｕ字状に形成された２本の紐で形成され、前記２本の紐のうちの１本が爪先側に配置され、前記２本の紐のうちの１本が履き口側に配置されている。
【請求項１１】
請求項３において、前記アッパーは、
前記ループ部材４のうちの最も後方のループ部材４よりも前方のエリアにおいて足の甲の内側面および外側面を覆い、前記前後方向Ｙおよび横断方向Ｘに伸び縮みする伸縮材３Ｆと、
前記伸縮材３Ｆの表面に付着され、前記伸縮材３Ｆよりも伸び縮みしにくく、前記内側部３１および外側部３２の一部を形成する非伸縮材３Ｌと、
前記内側部３１および外側部３２における前記非伸縮材３Ｌの上端の縁部３３が波形に形成されていることにより、前記非伸縮材３Ｌが前記足の甲の中央に向かって突出する複数の凸部３４と、
互いに隣接する前記凸部３４と凸部３４との間において前記非伸縮材３Ｌで覆われずに前記伸縮材３Ｆが露出する柔軟部３５とを有し、
前記凸部３４の前記縁部３３に前記ループ部材４が設けられている。
【請求項１２】
請求項１１において、前記各凸部３４は上方に向かって先窄まりの台形状に形成されている。
【請求項１３】
請求項１２の構造において、互いに隣接する凸部３４，３４の間において、前記柔軟部３５は足の中央に近づくに従い前記前後方向Ｙの長さが大きい。
【請求項１４】
請求項１３の構造において、前記ループ部材４のうちの最も後方のループ部材４よりも前方のエリアにおいて、前記アッパー３は足囲方向に連なったソック状に形成されている。
【請求項１５】
足の甲を包むアッパーを前記甲にフィットさせるための紐締めフィッティング構造であって、
前記甲および母趾の内側面を覆う内側部３１と、
前記甲および小趾の外側面を覆う外側部３２と、
前記内側部３１と前記外側部３２とを互いに近づけるシューレース手段２と、
前記内側部３１および外側部３２の中央寄りの縁部３３に設けられ前記シューレース手段２が係合する複数の係合エリア１ｉを有し、前記各係合エリア１ｉの足の前後方向Ｙの長さが前記シューレース手段２の太さ及び幅よりも大きく、かつ、前記各係合エリア１ｉにおいて前記シューレース手段２に引っ張られて屈曲する係合手段１とを備え、
ここにおいて、前記複数の係合エリア１ｉは前方係合エリアと、前記前方係合エリアよりも後方の後方係合エリアとを包含し、前記前方係合エリアの前記前後方向Ｙの長さに比べ前記後方係合エリアの前記前後方向Ｙの長さが長い。
【発明の詳細な説明】
【技術分野】
【０００１】
本発明は紐締めフィッティング構造を備えた靴に関する。
【背景技術】
【０００２】
シューレースはアッパーを足にフィットさせる。足にフィットしたアッパーは足を支持する。【０００３】
しかし、ＭＰ関節の背屈時に足の形状が変化し、そのため、足囲も変化する。また、靴を長時間着用すると、足囲が大きくなることが多い。このような場合、靴の中の足はアッパーによって圧迫されるであろう。また、動作中に靴と足との間にズレが生じやすい。【０００４】
特に、足の中足は姿勢の変化に伴って、その形状が大きく変化する。静止時に足にフィットしていたアッパーが足の形状の変化に追従しないと、アッパーと足とのフィット感が動作時に著しく低下する。
【先行技術文献】
【特許文献】
【０００５】
【特許文献１】ＪＰ２００５−１３３６５Ａ（要約書）
【特許文献２】ＪＰ２００１−４６１０３Ａ（要約書）
【発明の概要】
【０００６】
前記特許文献１の靴においては、シューレースを通す複数のループ部材がソールの上端に固定されており、ソールが足裏にフィットし易いが、アッパーが足に十分にフィットしないだろう。また、前記特許文献１の靴においてはシューレースを通す複数のループが踵の背面を通っており、そのため、アッパーの踵部が足にフィットし易いが、履き口よりも前方の部位においてはアッパーが足に十分にフィットしないだろう。
【０００７】
本発明の目的は中足においてアッパーが足にフィットし易い靴の紐締め構造を提供することである。
【０００８】
本発明は１つの局面において、足の甲を包むアッパーを前記甲にフィットさせるための紐締めフィッティング構造であって、
前記甲および母趾の内側面を覆う内側部と、
前記甲および小趾の外側面を覆う外側部と、
前記内側部および外側部の中央寄りの縁部において、前記内側部および外側部に係合し、かつ、足の前後方向に沿って配置された第１シューレース手段と、
前記第１シューレース手段の一部を前記前後方向に互いに離間した複数の露出エリアにおいて露出させた状態で配置する配置手段と、
前記複数の露出エリアにおいて前記第１シューレース手段に足の横断方向に係合し前記内側部と前記外側部とを互いに近づける第２シューレース手段とを備え、
ここにおいて、前記各露出エリアの前記前後方向の長さが前記第２シューレース手段の太さ及び幅よりも大きい。
【０００９】
ここでシューレース手段とは、シューレースとして用いることのできる１本又は複数本の紐からなり、天然糸または高分子合成糸を編んだものや天然皮革または合成皮革からなる単数又は複数の紐などを包含し、更に、金属ワイヤーを包含することを意味する。但し、金属ワイヤーを包含しないことが好ましい。
【００１０】
本発明によれば、第１シューレース手段の露出エリアによって第２シューレース手段を通する紐通し孔が形成され、第２シューレース手段の幅や太さよりも露出エリアの前後方向の長さが大きいため、第２シューレース手段の第１シューレース手段に対する係合位置が前後方向に変位可能となる。そのため、着用者の足型および姿勢変動による足部の形状変化に対応可能となり、局所的な締め付けが避けられ、均一的な圧力でアッパーが足にフィットし易い。
また、内側部および外側部が中央寄りの縁部において第２シューレース手段によって中央に引き寄せられアッパーの内側部および外側部が足にフィットし易い。
【００１１】
本発明は別の局面において、足の甲を包むアッパーを前記甲にフィットさせるための紐締めフィッティング構造であって、
前記甲および母趾の内側面を覆う内側部と、
前記甲および小趾の外側面を覆う外側部と、
前記内側部および外側部の中央寄りの縁部において、かつ、足を前記アッパー内に挿入する履き口よりも前方において、足の前後方向に沿って配置され前記内側部に複数の部位で係合すると共に前記外側部に複数の部位で係合する第１シューレース手段と、
前記履き口よりも前方における足の内側において前記第１シューレース手段の第１部を前記前後方向に互いに離間した複数の内側の露出エリアにおいて露出させた状態で配置すると共に前記履き口よりも前方における足の外側において前記第１シューレース手段の第２部を前記前後方向に互いに離間した複数の外側の露出エリアにおいて露出させた状態で配置する配置手段と、
前記複数の内側および外側の露出エリアにおいて前記第１シューレース手段に足の横断方向に係合し前記内側部と前記外側部とを互いに近づける第２シューレース手段とを備え、
ここにおいて、前記内側および外側の各露出エリアの前記前後方向Ｙの長さＬが前記第２シューレース手段の太さ及び幅よりも大きい。
【００１２】
この場合、複数の露出エリアが履き口よりも前方に配置されており、そのため、履き口よりも前方においてアッパーの内側部と前記外側部とが足にフィットし易い。
【図面の簡単な説明】
【００１３】
【図１】図１は本発明の実施例１にかかるアッパーを斜め前方の内側から見た概略斜視図である。
【図２】図２は本発明の実施例１にかかるアッパーを斜め前方の外側から見た概略斜視図である。
【図３】図３は同アッパーを第１着用者の足に装着した状態で示すアッパーの中足部および前足部の平面図である。
【図４】図４は同アッパーを第２着用者の足に装着した状態で示すアッパーの中足部および前足部の平面図である。
【図５】図５は同アッパーを第３着用者の足に装着した状態で示すアッパーの中足部および前足部の平面図である。
【図６】図６Ａは同アッパーを柔軟部において断面して示す線図、図６Ｂは同アッパーを凸部において断面して示す線図である。
【図７】図７は実施例２にかかる紐締め構造を示す概念的な平面図である。
【図８】図８は実施例３にかかる紐締め構造を示す概念的な平面図である。
【図９】図９は実施例４にかかる紐締め構造を示す概念的な平面図である。
【図１０】図１０は実施例５にかかる紐締め構造を示す概念的な平面図である。
【図１１】図１１は実施例６にかかる紐締め構造を示す概念的な平面図である。
【図１２】図１２は実施例７にかかる紐締め構造を示す概念的な平面図である。
【図１３】図１３は実施例８にかかる紐締め構造を示す概念的な平面図である。
【発明を実施するための形態】
【００１４】
好ましくは、前記配置手段は、
前記内側部３１および外側部３２の中央寄りの縁部３３に、各々、２個以上配置され前記前後方向Ｙに貫通し、前記第１シューレース手段１が前後方向Ｙに移動可能に挿通されたループ部材４と、
前記内側部３１および外側部３２の前部あるいは、前記内側部３１および外側部３２の後部において前記第１シューレース手段１の端部１Ｅを固定する固定部５とを備える。
【００１５】
この場合、複数個のループ部材４を通る第１シューレース手段１が前後方向Ｙに移動可能であり、これにより第１シューレース手段１が第２シューレース手段２に引っ張られた際に、露出エリア１ｉにおいて第１シューレース手段１が大きく屈曲することが可能である。そのため、紐通し孔の実質的な位置は足の形状の変化によって前後方向Ｙだけでなく横断方向Ｘも変位できる。
【００１６】
更に好ましくは、前記複数の露出エリア１１〜１ｎは前方露出エリアと、前記前方露出エリアよりも後方の後方露出エリアとを包含し、前記前方露出エリアの前記前後方向Ｙの長さに比べ前記後方露出エリアの前記前後方向Ｙの長さが長い。
【００１７】
第２シューレース手段２はアッパーの爪先側から足首に向かって引っ張って締め付けられるが、爪先に比べ足首の近くは甲の高さの個人差が大きく、また、内外の縁部同士の距離が大きい。そのため、後方の露出エリアの方が前方の露出エリアに比べ、前記第２シューレース手段２の係合位置の変動が大きいだろう。
後方の露出エリアの方が前方の露出エリアに比べ長さＬｉが大きいことは、前記係合位置の大きな変動を許容できるだろう。
なお、露出エリアの長さＬｉは必ずしも、後方の露出エリア程長い必要はない。
【００１８】
更に好ましくは、前記後方露出エリアの前記長さが前記前方露出エリアの前記長さに比べ２ｍｍ以上長い。なお、前記長さＬｉの差は３ｍｍ以上が更に好ましく、４ｍｍ以上が最も好ましく、３０ｍｍ以下であるのが好ましい。
この場合、前記長さＬｉの差が２ｍｍ未満では、明確な差が認めにくいかもしれない。
【００１９】
更に好ましくは、前記複数の露出エリア１１〜１ｎは前記前部から後部にわたって互いに前記前後方向Ｙに離間した１番目からｎ番目のエリア１１〜１ｎを包含し、前方から任意のｉ番目のエリア１ｉの前記前後方向Ｙの長さＬｉに比べ任意の（ｉ＋１）番目のエリア１ｉ＋１の前記前後方向Ｙの長さＬｉ＋１が長い。
すなわち、露出エリアの長さＬｉは後方の露出エリア程長いのが好ましく、これを数式で表現すると下記の（１）式で表される。
Ｌ１＜Ｌ２…＜Ｌｉ＜Ｌｉ＋１…＜Ｌｎ…（１）
このような場合、前記係合位置の変動を更に許容し易いだろう。
【００２０】
更に好ましくは、前記内側部３１又は外側部３２をその厚さの方向に貫通し、前記第２シューレース手段２が挿通される貫通孔Ｈが前記内側部３１および外側部３２に各々形成され、
前記貫通孔Ｈが前記複数のループ部材４のうちの最も後方に設けられたループ部材４よりも後方に配置されている。
【００２１】
この場合、内側部３１および外側部３２に形成された貫通孔Ｈの近傍の部位において第２シューレース手段２は内側部３１または外側部３２の生地の下を通り、そのため、生地との摩擦力が大きい。したがって、着用者の設定した締付の度合いを維持した状態で第２シューレース手段２を結ぶことが容易であろう。
【００２２】
別の好ましい実施例においては前記第１シューレース手段１は１本又は２本の丸紐で形成され、前記第２シューレース手段２は１本又は２本の帯状の紐で形成されている。
【００２３】
この場合、両シューレース手段１，２が丸ヒモであると、シューレースの係合部位における厚み（高さ）が大きくなり、アッパーのコンパクトさが損なわれる。
一方、両シューレース手段１，２が帯状であると、両シューレース手段１，２の係合部位において、第１シューレース手段１がネジレ易く、見栄えを損なう。
これに対し、第１シューレース手段１が丸ヒモで第２シューレース手段２が帯状であると、上記のような欠点がない上、第２シューレース手段２が第１シューレース手段１に対し、スムースに滑り、局所的な締め付けを防止し易いだろう。
【００２４】
別の好ましい実施例については、前記第１シューレース手段１は、前記横断方向Ｘに延び前記第１部１Ｍと前記第２部１Ｌとを連結する第３部１Ｘを有し、Ｕ字状に形成された少なくとも１本の紐で形成されている。
この場合、構造がシンプルになるであろう。
【００２５】
別の好ましい実施例については、前記第１シューレース手段１は、前記横断方向Ｘに延び前記第１部１Ｍと前記第２部１Ｌとを連結する第３部１Ｘを有し、Ｕ字状に形成された２本の紐で形成され、前記２本の紐のうちの１本が爪先側に配置され、前記２本の紐のうちの１本が履き口側に配置されている。
【００２６】
この場合、爪先側の紐と履き口側の紐とで剛性や張りが互いに異なることで、爪先側と履き口側とで締め付け具合が異なったものとし易い。
【００２７】
好ましくは、前記アッパーは、
前記ループ部材４のうちの最も後方のループ部材４よりも前方のエリアにおいて足の甲の内側面および外側面を覆い、前記前後方向Ｙおよび横断方向Ｘに伸び縮みする伸縮材３Ｆと、
前記伸縮材３Ｆの表面に付着され、前記伸縮材３Ｆよりも伸び縮みしにくく、前記内側部３１および外側部３２の一部を形成する非伸縮材３Ｌと、
前記内側部３１および外側部３２における前記非伸縮材３Ｌの上端の縁部３３が波形に形成されていることにより、前記非伸縮材３Ｌが前記足の甲の中央に向かって突出する複数の凸部３４と、
互いに隣接する前記凸部３４と凸部３４との間において前記非伸縮材３Ｌで覆われずに前記伸縮材３Ｆが露出する柔軟部３５とを有し、
前記凸部３４の前記縁部３３に前記ループ部材４が設けられている。
【００２８】
本紐締め構造において第２シューレース手段２による締め付けで各凸部３４が足の前後方向Ｙに変位する場合は前後方向Ｙに変位をしない場合に比べ、アッパーが足に更にフィットし易い。
本実施例の場合、伸縮材３Ｆが足の大きさや動きに応じて変形し、更に非伸縮材３Ｌからなる凸部３４が前後方向Ｙに変位して内側部３１および外側部３２が足にフィットし易い。
【００２９】
更に好ましくは、前記各凸部３４は上方に向かって先窄まりの台形状に形成されている。
この場合、アッパーが足に更にフィットし易いだろう。
【００３０】
更に好ましくは、互いに隣接する凸部３４，３４の間において、前記柔軟部３５は足の中央に近づくに従い前記前後方向Ｙの長さが大きい。
この場合、伸縮材３Ｆからなる柔軟部３５が変形し易く、凸部３４が足の内側面および外側面にフィットし易いだろう。
【００３１】
更に好ましくは、前記ループ部材４のうちの最も後方のループ部材４よりも前方のエリアにおいて、前記アッパー３は足囲方向（周方向）に連なったソック状に形成されている。
この場合、ソック状の伸縮材３Ｆは足にフィットし易いだろう。
【００３２】
本発明の更に別の局面においては、
足の甲を包むアッパーを前記甲にフィットさせるための紐締めフィッティング構造であって、
前記甲および母趾の内側面を覆う内側部３１と、
前記甲および小趾の外側面を覆う外側部３２と、
前記内側部３１と前記外側部３２とを互いに近づけるシューレース手段２と、
前記内側部３１および外側部３２の中央寄りの縁部３３に設けられ前記シューレース手段２が係合する複数の係合エリア１ｉを有し、前記各係合エリアの足の前後方向Ｙの長さが前記シューレース手段２の太さよりも大きく、かつ、前記各係合エリア１ｉにおいて前記シューレース手段２に引っ張られて屈曲する係合手段１とを備え、
ここにおいて、前記複数の係合エリア１ｉは前方係合エリア１ｉと、前記前方係合エリア１ｉよりも後方の後方係合エリア１ｉとを包含し、前記前方係合エリア１ｉの前記前後方向Ｙの長さに比べ前記後方係合エリア１ｉの前記前後方向Ｙの長さが長い。
【００３３】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきではない。本発明の範囲は請求の範囲によってのみ定まる。添付図面において、複数の図面における同一の部品番号は、同一または相当部分を示す。
【実施例】
【００３４】
実施例１：
以下、本発明の実施例１が図１〜図６Ｂを参照して説明される。
以下の説明では、左足用のアッパーが例示される。また、以下の図において、矢印ＯＵＴは足の外側方向、矢印ＩＮは足の内側方向を示す。
図１に示す紐締めフィッティング構造を備えた靴は、たとえば、ハイカットのレスリングシューズで図示しないソール、アッパー３、第１および第２シューレース１，２を備えている。
ソールはアッパー３の下に配置され路面に接地するものである。アッパー３は足の甲を包むもので、舌片６を有している。シューレース１，２はアッパー３を足の甲にフィットさせるためのものである。【００３５】
図１および図２において、前記第２シューレース２の両端部分は図示が省略されているが、アッパー３内に足を挿入した後に、両端部同士は互いに固く結ばれる。第２シューレース２の端部同士が互いに結ばれることにより、アッパー３が足に対しフィットする。【００３６】
図１および図２に示すように、アッパー３には足を着用時に挿入するための履き口７が形成されている。前記履き口７は着用中に脚が上方に出るもので、前記履き口７の前方の部位は前記舌片６で覆われている。【００３７】
図３において、前記アッパー３は甲を上方から覆う伸縮材３Ｆおよび非伸縮材３Ｌと、図６Ａおよび図６Ｂに示すように、足裏の底面を覆う底部材３Ｂとが互いに縫着されている。前記底部材３Ｂは、たとえば、足の幅方向に伸縮する生地で形成されていてもよい。
なお、図６Ａおよび図６Ｂにおいて、伸縮材３Ｆは破線で描かれ、非伸縮材３Ｌは太い実線で描かれている。【００３８】
図６Ａおよび図６Ｂのように、前記伸縮材３Ｆは足の甲の上面、内側面および外側面を覆う。この伸縮材３Ｆはたとえば、メッシュ状の部材で、図３の前記前後方向Ｙおよび横断方向Ｘに伸び縮みする。【００３９】
図６Ａおよび図６Ｂに示すように、本実施例の場合、前記伸縮材３Ｆの下には前後方向Ｙおよび横断方向Ｘに伸び縮みするクッション材３Ｋが配置されている。このクッション材３Ｋは第１シューレース１（図３）が配置される領域において甲の上面に接する。【００４０】
図１及び図２の前記非伸縮材３Ｌの一部は、たとえば踝よりも前方や下方に配置された非伸縮材３Ｌは、前記伸縮材３Ｆの表面の少なくとも一部に縫着されて付着されている。一方、踝を覆う部位の非伸縮材３Ｌは、前記伸縮材３Ｆに下端や後端においてのみ縫着されて付着され、舌片６や柔軟部３５に対し可動することができる。
前記非伸縮材３Ｌは、たとえば合成皮革からなり前記伸縮材３Ｆよりも伸び縮みしにくく、前記内側部３１および外側部３２の一部を形成する。
図３に示すように、前記非伸縮材３Ｌで覆われていない伸縮材３Ｆは露出した状態となっており、図３において部分的に格子模様が付されている。【００４１】
前記アッパー３は複数の凸部３４と柔軟部３５とを備える。前記複数の凸部３４は、前記内側部３１および外側部３２における前記非伸縮材３Ｌの上端の縁部３３が波形に形成されていることにより、前記非伸縮材３Ｌが前記足の甲の中央に向かって突出している。【００４２】
柔軟部３５は、互いに隣接する前記凸部３４と凸部３４との間において伸縮材３Ｆが前記非伸縮材３Ｌで覆われずに前記伸縮材３Ｆが露出している。
なお、前記伸縮材３Ｆは前記内側部３１と外側部３２との間の部位、つまり甲の中央部３６においても露出している。【００４３】
図１および図２において、前記凸部３４は長方形状や上方に向かって（内外の中央に向かって）先窄まりの台形状に形成されている。したがって、互いに隣接する凸部３４，３４の間において、一部の前記柔軟部３５は足の中央に近づくに従い前記前後方向Ｙの長さが大きい。【００４４】
図３の内側部３１は、前記甲および母趾の内側面を覆う。
外側部３２は前記甲および小趾の外側面を覆う。【００４５】
前記各凸部３４の上端の縁部３３にはループ部材４が固着（縫着）されている。前記ループ部材４は前記内側部３１および外側部３２の中央寄りの縁部３３に、各々、２個以上配置され前記前後方向Ｙに貫通している。このループ部材４には第１シューレース１が前後方向Ｙに移動可能に挿通されている。【００４６】
前記第１シューレース１は例えば略Ｕ字状に配置されており、その両端部１Ｅは固定部５において非伸縮材３Ｌに縫着されて固定されている。
なお、本実施例の場合、前記固定部５は内側部３１および外側部３２の後部、つまり、履き口７（図１）の近傍に設けられている。【００４７】
第１シューレース１は前記内側部３１および外側部３２の中央寄りの縁部３３において、かつ、足を前記アッパー内に挿入する履き口７（図１）よりも前方において、足の前後方向Ｙに沿って配置され、前記内側部３１に複数のループ部材４を介して係合すると共に外側部３２に複数のループ部材４を介して係合する。
こうして、第１シューレース１の一部は前記前後方向Ｙに互いに離間した複数の露出エリア１ｉにおいて露出された状態で配置されている。【００４８】
前記複数のループ部材４および固定部５は配置手段を構成する。すなわち、前記履き口７（図１）よりも前方における足の内側において前記第１シューレース１の第１部１Ｍは前記前後方向Ｙに互いに離間した複数の露出エリア１ｉにおいて露出された状態で配置される。また、前記履き口７（図１）よりも前方における足の外側において前記第１シューレース１の第２部１Ｌは前記前後方向Ｙに互いに離間した複数の露出エリア１ｉにおいて露出された状態で配置される。【００４９】
こうして、前記第１シューレース１は第２シューレース２のための紐通し孔を形成する。すなわち、第２シューレース２は前記複数の露出エリア１ｉにおいて前記第１シューレース１の第１部１Ｍと第２部１Ｌに足の横断方向Ｘに交互に係合し前記内側部３１と前記外側部３２とを互いに近づける【００５０】
本実施例の場合、前記第１シューレース１は１本の丸ヒモで形成され、前記第２シューレース２は１本の帯状の紐で形成されている。ここにおいて、前記各露出エリア１ｉの前記前後方向Ｙの長さＬｉは前記第２シューレース２の幅よりも大きい。【００５１】
なお、第２シューレース２が丸紐の場合、前記前後方向Ｙの長さＬｉは第２シューレース２の太さよりも大きい必要がある。
また、第１シューレース１は丸紐ではなく第２シューレース２のような帯状の紐であってもよい。【００５２】
図３において、前記複数の露出エリア１ｉは前記前部から後部にわたって互いに前記前後方向Ｙに離間した１番目からｎ番目のエリア１１〜１ｎを包含し、前方から任意のｉ番目のエリア１ｉの前記前後方向Ｙの長さＬｉに比べ任意の（ｉ＋１）番目のエリア１ｉ＋１の前記前後方向Ｙの長さＬｉ＋１がたとえば２ｍｍ以上長い。
すなわち、本実施例の場合、下記の（１１）〜（１３）式を満足する。
２＋Ｌ１＜Ｌ２…（１１）
２＋Ｌ２＜Ｌ３…（１２）
２＋Ｌｎ−１＜Ｌｎ…（１３）
この場合、第２シューレース２の係合位置の変動を許容し易いだろう。【００５３】
しかし、本発明においては下記の（２０）を満足する場合にも係合位置の変動を許容し得る。
２＋Ｌｉ＜Ｌｉ＋ｊ…（２０）
すなわち、前記複数の露出エリア１ｉは前方露出エリア１ｉと前記前方露出エリア１ｉよりも後方の後方露出エリア１ｉ＋ｊとを包含し、少なくとも１つの前方露出エリア１ｉの前記前後方向Ｙの長さに比べ少なくとも１つの後方露出エリア１ｉ＋ｊの前記前後方向Ｙの長さが長い。【００５４】
図１および図２に示すように、前記内側部３１および外側部３２には各々３つの貫通孔Ｈ１〜Ｈ３が形成されている。前記貫通孔Ｈは前記内側部３１又は外側部３２をその厚さの方向に貫通し、前記第２シューレース２が挿通される。前記各貫通孔Ｈ１〜Ｈ３は前記ループ部材４のうちの最も後方に設けられたループ部材４よりも後方に配置されている。【００５５】
なお、貫通孔Ｈ１にはハトメ部材Ｅが装着されている。
また、後方の貫通孔Ｈ２およびＨ３の内径は第１シューレース１の幅よりも小さくてもよい。【００５６】
つぎに、本構造の効果を明瞭にするために、１つの同じアッパー３を互いに足の形状およびサイズの異なる３人の第１〜第３着用者が着用した場合について、図３〜図５を用いて説明される。
各着用者の足のサイズは下記の通りである。
図３：  第１着用者：２５．５ｃｍ
図４：  第２着用者：２３．５ｃｍ
図５：  第３着用者：２６．０ｃｍ（やせ型）【００５７】
図３〜図５を比較すると、前方の露出エリア１１における第２シューレース２の係合位置は概ね一定であるのに対し、後方の露出エリア１３や最後方の露出エリア１４における第２シューレース２の係合位置には大きなバラツキを看取する（見て把握する）ことができるだろう。
したがって、後方の露出エリア１ｉ程、その長さＬｉが大きく設定されることで、アッパー３のフィット性が高くなることが期待できる。【００５８】
図３〜図５を比較すると、露出エリア１ｉにおける第１シューレース１の屈曲の度合いが互いに大きく異なっているのを看取することができるだろう。たとえば、図５において、足の内側の後方の露出エリア１３および足の外側の最後方の露出エリア１４において第１シューレース１は著しく大きく屈曲している。【００５９】
前記屈曲に伴い、当該大きく屈曲した露出エリア１３、露出エリア１４に対応する柔軟部３５は前後方向Ｙに大きく縮んでいることが分かる。すなわち、柔軟部３５が前後方向Ｙに縮むことで、露出エリア１ｉにおける第１シューレース１の屈曲が許容され、これにより、露出エリア１ｉに対する第２シューレース２の係合位置が前後方向Ｙだけでなく横断方向Ｘにも変位し得る。したがって、アッパー３が動作中の足の形状の変化に追従し易いであろう。【００６０】
つぎに、他の実施例について説明される。
なお、以下の例において前記実施例１と同一ないし相当部分には同一符号を付し、その詳しい説明が省略され、あるいは図示が省略され、実施例１と異なる部分について図示および説明がなされる。【００６１】
図７は実施例２の構造を示す。
本実施例においては、第１シューレース手段１が２本の前シューレース１ｆと後シューレース１ｂとで構成される。この場合、２本のシューレース１ｆ,１ｂの剛性や張り、長さなどによって、第２シューレース２による締付具合を制御することができるかもしれない。【００６２】
なお、図７の実施例において、前シューレース１ｆはアッパー３の前部の固定部５において固定され、後シューレース１ｂはアッパー３の後部の固定部５において固定されている。【００６３】
図８は実施例３の構造を示す。
本実施例においては、第１シューレース１を挿通するための貫通孔４Ｈが内側部３１および外側部３２に形成されている。【００６４】
前記第１シューレース１は前記貫通孔４Ｈに下から上へ挿通され、したがって、第１シューレース１は内側部３１または外側部３２の下面と接触する。そのため、大きな摩擦抵抗力を受け、前記貫通孔４Ｈの前方の露出エリア１１は他の露出エリア１２〜１４に比べ第１シューレース１の自由な移動や屈曲が抑制されるだろう。したがって、図４のように、爪先が締まりすぎるのを抑制できるかもしれない。【００６５】
図９は実施例４の構造を示す。
本実施例においては、第２シューレース２を挿通するための貫通孔８が、各々、内側部３１および外側部３２に複数個ずつ設けられている。この場合、第２シューレース２は貫通孔８の下方においてアッパー３の生地に接触したり、あるいは、貫通孔８において大きな摩擦力を受けるだろう。そのため、図４のように、爪先が締まりすぎるのを抑制し易いだろう。【００６６】
ところで、図１０に示すように、前記第１シューレース１の固定部５は最も前方のループ部材４の更に前方、つまり、前部に設けられていてもよい。
また、図１１に示すように、前記第１シューレース１は内外の２本に分かれていてもよく、この場合、固定部５は前部および後部の双方に設けられる。【００６７】
図１２に示すように、第１シューレース１を横断方向Ｘに通すためのループ部材４が爪先の前端に設けられていてもよい。この場合、前端のループ部材４が第１シューレース１により上方に持ち上げられ、爪先が路面に引っ掛かるのを防止できるだろう。したがって、レスリングシューズや老人用のシューズとして好ましく採用できるかもしれない。
なお、このループ部材４は第２趾指節間関節よりも前方に設けられるのが好ましい。【００６８】
本発明においては、図１３に示すように、紐通し孔を形成する前記第１シューレース１に代えて、アッパー３に固着された係合手段１が採用されてもよい。この場合、係合手段１は前記（第２）シューレース２が挿通される複数の紐通し孔９を形成する係合エリア１ｉを有する。側縁部に配置された係合エリア１ｉを形成する部材としては柔軟で屈曲可能な材料が用いられる。これにより、係合位置が足幅方向に変位可能となる。なお、各紐通し孔９は前後方向Ｙに長い長孔で形成される。【００６９】
以上のとおり、図面を参照しながら好適な実施例を説明したが、当業者であれば本明細書を見て、自明な範囲で種々の変更および修正を容易に想定するであろう。
たとえば、アッパーの生地は伸縮材３Ｆが設けられずに非伸縮材３Ｌのみで構成されてもよい。より具体的には、非伸縮材３Ｌが配置された部位に剛性の大きい部材を配置し伸縮材３Ｆが配置された部位に剛性の小さい部材が配置されてもよい。
アッパーの下に配置されるソールは、いわゆるミッドソールとアウトソールを有していてもよい。
アッパーはハイカットタイプではなく、ローカットタイプであってもよい。
アッパーの中央部には爪先まで延びる舌片が設けられていてもよい。
したがって、そのような変更および修正は、請求の範囲から定まる本発明の範囲内のものと解釈される。
【産業上の利用可能性】
【００７０】
本発明はシューレースを用いた紐締め構造を有する靴に適用できる。
【符号の説明】
【００７１】
１：第１シューレース手段（係合手段）１Ｍ：第１部  １Ｌ：第２部  １Ｘ：第３部  １Ｅ：端部  １ｂ：後シューレース  １ｆ：前シューレース  １ｉ：露出エリア（係合エリア）
２：第２シューレース手段
３：アッパー  ３Ｂ：底部材  ３Ｆ：伸縮材  ３Ｌ：非伸縮材  ３Ｋ：クッション材  ３１：内側部  ３２：外側部  ３３：縁部  ３４：凸部  ３５：柔軟部  ３６：中央部
４：ループ部材  ４Ｈ：貫通孔
５：固定部
６：舌片
７：履き口
８：貫通孔
９：紐通し孔
Ｈ：貫通孔
Ｘ：横断方向
Ｙ：前後方向
ＯＵＴ：外側方向
ＩＮ：内側方向
【図１】
2013136514.tif 000003
【図２】
2013136514.tif 000004
【図３】
2013136514.tif 000005
【図４】
2013136514.tif 000006
【図５】
2013136514.tif 000007
【図６】
2013136514.tif 000008
【図７】
2013136514.tif 000009
【図８】
2013136514.tif 000010
【図９】
2013136514.tif 000011
【図１０】
2013136514.tif 000012
【図１１】
2013136514.tif 000013
【図１２】
2013136514.tif 000014
【図１３】
2013136514.tif 000015
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
足の甲を包むアッパー３を前記甲にフィットさせるための紐締めフィッティング構造であって、
前記甲および母趾の内側面を覆う内側部３１と、
前記甲および小趾の外側面を覆う外側部３２と、
前記内側部３１および外側部３２の中央寄りの縁部３３において、かつ、足を前記アッパー内に挿入する履き口７よりも前方において、足の前後方向Ｙに沿って配置された第１シューレース手段１と、
前記履き口７よりも前方における足の内側において前記第１シューレース手段１の第１部１Ｍを前記前後方向Ｙに互いに離間した複数の内側の露出エリア１ｉにおいて露出させた状態で配置すると共に、前記履き口７よりも前方における足の外側において前記第１シューレース手段１の第２部１Ｌを前記前後方向Ｙに互いに離間した複数の外側の露出エリア１ｉにおいて露出させた状態で配置する配置手段と、
前記複数の内側および外側の露出エリア１ｉにおいて前記第１シューレース手段１に足の横断方向Ｘに係合し前記内側部３１と前記外側部３２とを互いに近づける第２シューレース手段２とを備え、
ここにおいて、前記内側および外側の各露出エリア１ｉの前記前後方向Ｙの長さＬが前記第２シューレース手段２の太さ及び幅よりも大きく、
前記配置手段は、
前記内側部３１および外側部３２の中央寄りの前記縁部３３に、各々、２個以上配置され前記前後方向Ｙに貫通し、前記第１シューレース手段１が前後方向Ｙに移動可能に挿通された挿通部４と、
少なくとも、前記内側部３１および外側部３２の前部、あるいは、前記内側部３１および外側部３２の後部において前記第１シューレース手段１の端部１Ｅを固定する固定部５とを備え、
前記アッパーは、
前記挿通部４のうちの最も後方の挿通部４よりも前方のエリアにおいて足の甲の内側面および外側面を覆い、前記前後方向Ｙおよび横断方向Ｘに伸び縮みする伸縮材３Ｆと、
前記伸縮材３Ｆの表面に付着され、前記伸縮材３Ｆよりも伸び縮みしにくく、前記内側部３１および外側部３２の一部を形成する非伸縮材３Ｌと、
前記非伸縮材３Ｌが前記足の甲の中央に向かって突出する複数の凸部３４と、
互いに隣接する前記凸部３４と凸部３４との間において前記非伸縮材３Ｌで覆われずに前記伸縮材３Ｆが露出する柔軟部３５とを有し、
前記凸部３４の前記縁部３３に前記挿通部４が設けられている、紐締めフィッティング構造。
【請求項２】
請求項１において、
前記複数の凸部３４は、前記内側部３１および外側部３２における非伸縮材３Ｌの上端の縁部３３が波形に形成されていることにより、前記非伸縮材３Ｌが前記足の甲の中央に向かって突出するように構成されている、紐締めフィッティング構造。
【請求項３】
請求項１もしくは２において、
前記挿通部４はループ部材４で形成されている、紐締めフィッティング構造。
【請求項４】
請求項３において、前記各凸部３４は上方に向かって先窄まりの台形状に形成されている、紐締めフィッティング構造。
【請求項５】
請求項４の構造において、互いに隣接する凸部３４，３４の間において、前記柔軟部３５は足の中央に近づくに従い前記前後方向Ｙの長さが大きい、紐締めフィッティング構造。
【請求項６】
請求項５の構造において、前記ループ部材４のうちの最も後方のループ部材４よりも前方のエリアにおいて、前記アッパー３は足囲方向に連なったソック状に形成されている、紐締めフィッティング構造。
【請求項７】
足の甲を包むアッパー３を前記甲にフィットさせるための紐締めフィッティング構造であって、
前記甲および母趾の内側面を覆う内側部３１と、
前記甲および小趾の外側面を覆う外側部３２と、
前記内側部３１および外側部３２の中央寄りの縁部３３において、かつ、足を前記アッパー内に挿入する履き口７よりも前方において、足の前後方向Ｙに沿って配置された第１シューレース手段１と、
前記履き口７よりも前方における足の内側において前記第１シューレース手段１の第１部１Ｍを前記前後方向Ｙに互いに離間した複数の内側の露出エリア１ｉにおいて露出させた状態で配置すると共に、前記履き口７よりも前方における足の外側において前記第１シューレース手段１の第２部１Ｌを前記前後方向Ｙに互いに離間した複数の外側の露出エリア１ｉにおいて露出させた状態で配置する配置手段と、
前記複数の内側および外側の露出エリア１ｉにおいて前記第１シューレース手段１に足の横断方向Ｘに係合し前記内側部３１と前記外側部３２とを互いに近づける第２シューレース手段２とを備え、
ここにおいて、前記内側および外側の各露出エリア１ｉの前記前後方向Ｙの長さＬが前記第２シューレース手段２の太さ及び幅よりも大きく、
前記配置手段は、
前記内側部３１および外側部３２の中央寄りの前記縁部３３に、各々、２個以上配置され前記前後方向Ｙに貫通し、前記第１シューレース手段１が前後方向Ｙに移動可能に挿通された挿通部４と、
少なくとも、前記内側部３１および外側部３２の前部、あるいは、前記内側部３１および外側部３２の後部において前記第１シューレース手段１の端部１Ｅを固定する固定部５とを備え、
ここにおいて、前記複数の内側および外側の露出エリア１ｉは前方露出エリアと前記前方露出エリアよりも後方の後方露出エリアとを包含し、前記前方露出エリアの前記前後方向Ｙの長さに比べ前記後方露出エリアの前記前後方向Ｙの長さが長いことを特徴とする紐締めフィッティング構造。
【請求項８】
請求項７において、前記挿通部４はループ部材４で形成されている、紐締めフィッティング構造。
【請求項９】
請求項８において、前記後方露出エリアの前記長さが前記前方露出エリアの前記長さに比べ２ｍｍ以上長い、紐締めフィッティング構造。
【請求項１０】
請求項９において、前記複数の内側および外側の露出エリア１ｉは前記前部から前記後部にわたって互いに前記前後方向Ｙに離間した１番目からｎ番目のエリア１１〜１ｎを包含し、前方から任意のｉ番目のエリア１ｉの前記前後方向Ｙの長さＬｉに比べ任意の（ｉ＋１）番目のエリア１ｉ＋１の前記前後方向Ｙの長さＬｉ＋１が長い、紐締めフィッティング構造。
【請求項１１】
足の甲を包むアッパーを前記甲にフィットさせるための紐締めフィッティング構造であって、
前記甲および母趾の内側面を覆う内側部３１と、
前記甲および小趾の外側面を覆う外側部３２と、
前記内側部３１と前記外側部３２とを互いに近づけるシューレース手段２と、
前記内側部３１および外側部３２の中央寄りの縁部３３に設けられ前記シューレース手段２が係合する複数の係合エリア１ｉを有し、前記各係合エリア１ｉの足の前後方向Ｙの長さが前記シューレース手段２の太さ及び幅よりも大きく、かつ、前記各係合エリア１ｉにおいて前記シューレース手段２に引っ張られて屈曲する係合手段１とを備え、
ここにおいて、前記複数の係合エリア１ｉは前方係合エリアと、前記前方係合エリアよりも後方の後方係合エリアとを包含し、前記前方係合エリアの前記前後方向Ｙの長さに比べ前記後方係合エリアの前記前後方向Ｙの長さが長いことを特徴とする紐締めフィッティング構造。
【国際調査報告】
2013136514.tif 000016
2013136514.tif 000017
2013136514.tif 000018
2013136514.tif 000019